(57)【要約】【課題】操作対象に対して要求される操作を、ユーザに分かり易く提示する。【解決手段】情報処理装置は、操作の対象となる操作対象を示す画像を操作領域に表示する対象表示部と、外部からの操作を案内する案内表記を、操作領域内に表示する案内表示部とを備える。また、案内表示部は、案内表記を、外部から操作の入力を受け付ける前に予め表示して、操作対象に対して外部から操作の入力を受け付けた場合に、案内表記を操作領域内から消去する。【選択図】図２
2007086823.tif 000002
【特許請求の範囲】
【請求項１】
所定の操作に伴って対応する処理を行う情報処理装置であって、
前記操作を行う操作領域を表示する領域表示部と、
前記操作を案内する案内表記を、前記操作領域内に表示する案内表示部と
を備える情報処理装置。
【請求項２】
前記案内表示部は、前記案内表記を、前記案内表記により案内される前記操作の入力を受け付ける前に予め表示し、前記操作領域に対して前記案内表記により案内される前記操作の入力を受け付けた場合に、前記案内表記を前記操作領域内から消去する
請求項１に記載の情報処理装置。
【請求項３】
前記案内表示部は、前記操作領域に対して前記案内表記により案内される前記操作の入力を受け付けた回数を計測し、前記回数が所定の数を超えた場合に、前記案内表記を表示しないようにする
請求項１に記載の情報処理装置。
【請求項４】
前記案内表示部は、前記領域表示部が新たな操作領域を追加で表示した場合に、前記案内表記を前記新たな操作領域内に表示する
請求項２に記載の情報処理装置。
【請求項５】
前記案内表示部は、前記操作領域に前記案内表記を合成し、前記操作領域の画像と前記案内表記とを、重畳した状態で外部から認識可能に表示する
請求項１に記載の情報処理装置。
【請求項６】
前記案内表記の上で前記操作を実行することができる請求項１に記載の情報処理装置。
【請求項７】
所定の操作に伴って対応する処理を行う情報処理装置を制御する制御方法であって、
前記操作を行う操作領域を表示し、
前記操作を案内する案内表記を、前記操作領域内に表示する
制御方法。
【請求項８】
所定の操作に伴って対応する処理を行う情報処理装置を制御するプログラムであって、前記情報処理装置に、
前記操作を行う操作領域を表示する対象表示機能、および、
前記操作を案内する案内表記を、前記操作領域内に表示する案内表示機能
を実現させるプログラム。
【発明の詳細な説明】
【技術分野】
【０００１】
本発明は、情報処理装置、制御方法、およびプログラムに関する。特に、本発明は、情報の操作の案内を表記する情報処理装置、制御方法、およびプログラムに関する。
【背景技術】
【０００２】
メディアデータをユーザに提示しながら編集する場合に、メディアデータ中の特定領域を表現するパラメータの変更を指定する再操作を、ユーザが正確にできるメディアデータ編集方法が提案されている。より具体的には、ユーザが前回操作した部分と当該部分の周辺部分とを含むメディアデータに対して、メディアデータを表現するパラメータのうち、少なくとも一つのパラメータの変換比率を変更することにより、ユーザにメディアデータを再提示する方法が提案されている（例えば、特許文献１参照。）。
【特許文献１】特開平６−１４９９５６号公報
【発明の開示】
【発明が解決しようとする課題】
【０００３】
しかしながら、特許文献１に記載の発明においては、ユーザが情報処理装置において所定の情報処理をする操作方法が、実際にユーザが操作する領域とは離れた場所に表示される。したがって、ユーザが情報処理の操作に不慣れな場合には、ユーザは画面中のどの部分で情報処理の操作をすればよいのか分かりにくい場合がある。また、ユーザが情報処理の操作を習熟した場合においては、情報処理の操作方法が表示され続けると、ユーザにとっては煩わしく感じる場合がある。
【０００４】
そこで本発明は、上記課題を解決することができる情報処理装置、制御方法、およびプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、所定の操作に伴って対応する処理を行う情報処理装置であって、操作を行う操作領域を表示する領域表示部と、操作を案内する案内表記を、操作領域内に表示する案内表示部とを備える。これにより、操作対象に対してどのような操作をすればよいかを、ユーザに分かり易く提示することができる。
【０００６】
また、案内表示部は、案内表記を、案内表記により案内される操作の入力を受け付ける前に予め表示し、操作領域に対して案内表記により案内される操作の入力を受け付けた場合に、案内表記を操作領域内から消去してもよい。これにより、操作前は案内表記を提示して、操作後は当該案内表記を省略することができる。
【０００７】
また、案内表示部は、操作領域に対して案内表記により案内される操作の入力を受け付けた回数を計測し、回数が所定の数を超えた場合に、案内表記を表示しないようにしてもよい。これにより、操作に慣れていないユーザに対しては案内表記を提示して、操作に慣れているユーザに対しては案内表記を省略することができる。
【０００８】
更に、案内表示部は、領域表示部が新たな操作領域を追加で表示した場合に、案内表記を新たな操作領域内に表示してもよい。これにより、操作対象が新しくなった場合に、どのような操作をすればよいかを改めてユーザに提示することができる。
【０００９】
また、案内表示部は、操作領域に案内表記を合成し、操作領域の画像と案内表記とを、重畳した状態で外部から認識可能に表示してもよい。これにより、操作対象と当該操作対象に対する操作の案内表記とを視覚的に対応づけてユーザに提示することができる。また、案内表記の上で操作を実行してもよい。
【００１０】
また、本発明の第２の形態においては、所定の操作に伴って対応する処理を行う情報処理装置を制御する制御方法であって、操作を行う操作領域を表示し、操作を案内する案内表記を、操作領域内に表示する。これにより、操作対象に対してどのような操作をすればよいかを、ユーザに分かり易く提示することができる。
【００１１】
また、本発明の第３の形態においては、所定の操作に伴って対応する処理を行う情報処理装置を制御するプログラムであって、情報処理装置に、操作を行う操作領域を表示する対象表示機能、および操作を案内する案内表記を、操作領域内に表示する案内表示機能を実現させる。これにより、操作対象に対してどのような操作をすればよいかを、ユーザに分かり易く提示することが得きる。
【００１２】
なお、上記の発明の概要は、本発明の必要な特徴の全てを列挙したものではなく、これらの特徴群のサブコンビネーションもまた、発明となりうる。
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１４】
図１は、本発明の一実施形態に係る情報処理装置１０のハードウェア構成を示す概略図である。情報処理装置１０は、ディスプレイ１２、パーソナルコンピュータ１４、キーボード１６、およびマウス１８を備える。情報処理装置１０は、デジタルカメラ４０から原画像を取得して格納する。また、情報処理装置１０は、格納された原画像に対して画像処理を施す。そして、情報処理装置１０は、プリンタ４２から画像処理を施した原画像を印刷できる。なお、プリンタ４２はスキャナ機能を有していてもよく、係る場合においては、プリンタ４２で読み取った原画像を情報処理装置１０は格納できる。本実施形態に係る情報処理装置１０は、操作対象に対して要求される操作を、ユーザ５０に分かり易く提示することを目的とする。
【００１５】
例えば、情報処理装置１０は、格納された原画像に対してユーザ５０が要求したトリミング、明度補正、および彩度補正等の画像処理をする。そして、情報処理装置１０は、画像処理を施した原画像および画像処理を施していない原画像を、情報処理装置１０が予め格納したレイアウトテンプレートからユーザ５０により選択されたレイアウトテンプレートに含まれる画像枠に割り付ける。続いて、情報処理装置１０は、レイアウトテンプレートに原画像が割り付けられたレイアウト画像をプリンタ４２から出力する。情報処理装置１０は、画像処理、原画像のレイアウトテンプレートへの割付、およびレイアウト画像のプリンタ４２への出力等の各操作段階において、ユーザ５０に対して、操作対象に要求される操作方法を、ディスプレイ１２上の各操作をする場所に分かり易く提示する。なお、原画像およびレイアウト画像は操作対象の一例である。
【００１６】
本実施形態に係る情報処理装置１０によれば、ユーザ５０が実際に操作をする画面上の場所に、操作方法を提示できる。これにより情報処理装置１０は、操作対象に対してどのような操作をすればよいかを、ユーザ５０に分かり易く提示することができる。
【００１７】
図２は、本実施形態に係るパーソナルコンピュータ１４の機能構成の一例を示す。パーソナルコンピュータ１４は、ユーザ情報確認部１００、操作回数格納部１０２、操作入力部１１０、操作制御部１２０、操作対象画像格納部１３０、テンプレート格納部１４０、案内表記格納部１５０、表示制御部１６０、対象画像表示部１７０、対象表示部１７２、案内表示部１７４、およびレイアウト画像格納部１８０を有する。
【００１８】
ユーザ情報確認部１００は、画像処理をするユーザ５０に対して、ユーザ情報の入力を促す。ユーザ情報は、例えば、ユーザ名およびユーザＩＤ等であってよく、ユーザ情報確認部１００はキーボード１６およびマウス１８を介して、ユーザ情報をユーザ５０に入力させる。また、ユーザ情報確認部１００は、ユーザ５０に対して画像処理操作の習熟度の入力を促してもよい。ユーザ情報確認部１００は、キーボード１６およびマウス１８を介して受け取った、ユーザ情報および画像処理操作の習熟度を操作回数格納部１０２に供給する。
【００１９】
操作入力部１１０は、ユーザ５０がキーボード１６およびマウス１８を介して操作対象へ操作した、操作の命令を受け取る。操作対象は、例えば、原画像、レイアウトテンプレート、およびレイアウトテンプレートに原画像が割り付けられたレイアウト画像等であってよい。また、操作の命令は、レイアウトテンプレートの選択、原画像の選択および原画像のレイアウトテンプレートへのドラッグアンドドロップ、並びに原画像およびレイアウト画像を所定の場所へドラッグアンドドロップする等の操作の命令であってよい。なお、前述した各操作には、各操作を一意に識別できる操作ＩＤが付与されている。操作入力部１１０は、受け取った操作の命令に対応する操作ＩＤを操作制御部１２０に供給する。また、操作入力部１１０は、操作ＩＤを受け取るごとに、操作の入力を受け付けた回数を操作ＩＤに対応づけて操作回数格納部１０２に供給する。
【００２０】
操作回数格納部１０２は、ユーザ情報１０４および回数情報１０６を格納する。操作回数格納部１０２は、ユーザ情報１０４としてユーザ５０を一意に識別できるユーザＩＤと、ユーザ５０の操作を一意に識別できる操作ＩＤとを格納する。なお、操作回数格納部１０２は、ユーザＩＤに対応づけてユーザ名および画像処理操作の習熟度を格納してもよい。そして、操作回数格納部１０２は、ユーザＩＤに対応づけてユーザ５０がした操作に対応する操作ＩＤを格納する。また、操作回数格納部１０２は、操作入力部１１０から受け取った、操作の入力を受け付けた回数を格納する。より具体的には、操作回数格納部１０２は、回数情報１０６として、操作ＩＤに対応づけてユーザ５０が当該操作ＩＤに対応する操作をした回数を格納する。操作回数格納部１０２は、操作ＩＤ、回数、および当該操作ＩＤに対応する習熟度に関する情報を操作制御部１２０に供給する。
【００２１】
操作対象画像格納部１３０は、デジタルカメラ４０およびスキャナ機能を有するプリンタ４２から原画像を受け取って画像情報１３２として格納する。より具体的には、操作対象画像格納部１３０は、受け取った原画像を一意に識別できる画像ＩＤに対応づけて原画像を格納する。なお、操作対象画像格納部１３０は半導体記憶媒体等を用いたメモリおよびインターネット等のネットワークを介して原画像を受け取ってもよい。操作対象画像格納部１３０は、操作制御部１２０の命令に基づいて、格納している原画像を表示制御部１６０に供給する。なお、原画像は操作対象画像の一例である。
【００２２】
テンプレート格納部１４０は、操作対象画像を割り付ける領域が予め定められたレイアウトテンプレートを、テンプレート情報１４２として格納する。より具体的には、テンプレート格納部１４０は、レイアウトテンプレートを一意に識別できるテンプレートＩＤに対応づけてレイアウトテンプレートを格納する。なお、レイアウトテンプレートは、少なくとも一つの操作対象画像を割り付ける領域を有しており、当該領域の数、当該領域のレイアウトテンプレートに占める位置、および当該領域の形状も予め定めてよい。テンプレート格納部１４０は、操作制御部１２０の命令に基づいて、格納しているテンプレートを表示制御部１６０に供給する。
【００２３】
案内表記格納部１５０は、ユーザ５０に操作内容を案内する案内表記を案内表記情報１５２として格納する。より具体的には、案内表記格納部１５０は、案内表記を一意に識別できる案内ＩＤに対応づけて案内表記を格納する。なお、案内表記格納部１５０は、操作ＩＤに対応づけて案内ＩＤを格納してもよい。ここで、案内表記とは、例えば、ユーザ５０に対して、レイアウトテンプレートを選択する旨を促す表記、レイアウトテンプレートに割り付ける原画像をドラッグアンドドロップする旨を促す表記、およびレイアウトテンプレートに原画像が割り付けられたレイアウト画像のプリントアウトを促す表記等であってよい。案内表記格納部１５０は、操作制御部１２０から受け取った命令および操作ＩＤに基づいて、格納している案内表記を表示制御部１６０に供給する。なお、ユーザ５０がパーソナルコンピュータ１４を最初に使用する初期状態においては、案内表記格納部１５０は表示制御部１６０に、初期状態で操作すべき操作の案内を示す案内表記を供給してもよい。例えば、案内表記格納部１５０は、初期状態でユーザ５０が最初に操作すべきレイアウトテンプレートの選択を促す案内表記を、表示制御部１６０に供給してもよい。表示制御部１６０は、当該案内表記を案内表示部１７４に表示させる。
【００２４】
操作制御部１２０は、操作入力部１１０から受け取ったユーザ５０の操作に対応付けられた操作ＩＤに基づいて、操作対象に対して操作をする。より具体的には、操作制御部１２０は、操作入力部１１０から受け取った操作ＩＤに対応する操作内容を解析して、操作対象画像格納部１３０、テンプレート格納部１４０、案内表記格納部１５０、および表示制御部１６０に受け取った操作の実行をする命令を送る。例えば、操作制御部１２０は、操作入力部１１０からレイアウトテンプレートを選択する操作の操作ＩＤを受け取った場合には、レイアウトテンプレートを選択する命令をテンプレート格納部１４０に供給する。当該命令を受け取ったテンプレート格納部１４０は、選択されたテンプレートを表示制御部１６０に供給する。また、係る場合において操作制御部１２０は、レイアウトテンプレートを選択する操作に対応する操作ＩＤを案内表記格納部１５０に供給してよい。案内表記格納部１５０は、受け取った操作ＩＤに対応する案内ＩＤを抽出して、当該案内ＩＤに対応する案内表記を表示制御部１６０に供給してよい。
【００２５】
また、操作制御部１２０は、操作入力部１１０から操作対象となる原画像が選択された旨の情報に対応する操作ＩＤを受け取った場合には、操作対象となる原画像を選択する命令を操作対象画像格納部１３０に供給する。操作対象画像格納部１３０は、操作対象となる原画像を選択する命令を受け取った場合には、選択された原画像を表示制御部１６０に供給する。また、操作制御部１２０は、操作ＩＤに対応づけて、当該操作ＩＤに対応する操作の入力を受け付けた回数を、表示制御部１６０に供給する。また、操作制御部１２０は、操作回数格納部１０２から受け取った習熟度を表示制御部１６０に供給する。更に、操作制御部１２０は、操作入力部１１０から受け取った操作ＩＤを案内表記格納部１５０に供給する。
【００２６】
表示制御部１６０は、操作対象画像格納部１３０から受け取った原画像を、対象画像表示部１７０および対象表示部１７２に表示させることを目的として、対象画像表示部１７０および対象表示部１７２に原画像を供給する。また、表示制御部１６０は、テンプレート格納部１４０から受け取ったレイアウトテンプレートを対象表示部１７２に表示させることを目的として、対象表示部１７２にテンプレートを供給する。更に、表示制御部１６０は、案内表記格納部１５０から受け取った案内表記を案内表示部１７４に表示させることを目的として、案内表示部１７４に案内表示を供給する。また、表示制御部１６０は、操作制御部１２０から受け取った操作ＩＤに対応する操作の入力を受け付けた回数および習熟度を案内表示部１７４に供給する。
【００２７】
対象画像表示部１７０は、初期状態において操作対象画像格納部１３０に格納されている原画像を予め表示する。係る場合において、対象画像表示部１７０は、操作対象画像格納部１３０に格納されている原画像を表示制御部１６０を介して受け取り、当該原画像を縮小または圧縮して表示してよい。例えば、対象画像表示部１７０は、不可逆圧縮することにより受け取った原画像を圧縮してよい。対象画像表示部１７０は、操作対象画像格納部１３０から受け取った原画像が静止画の場合には、ＪＰＥＧ等の画像圧縮方式を用いて原画像を圧縮してよい。また、対象画像表示部１７０は、操作対象画像格納部１３０から受け取った原画像のサイズまたは解像度を縮小してサムネイル画像を生成してもよい。更には、対象画像表示部１７０は、操作対象画像格納部１３０から受け取った原画像の高周波数成分をカットすることにより原画像を生成してもよい。対象画像表示部１７０は、操作対象画像格納部１３０から受け取った原画像をディスプレイ１２に供給して表示させる。
【００２８】
より具体的には、対象画像表示部１７０は、操作対象画像格納部１３０に格納されている複数の原画像をそれぞれ縮小して、対象画像を対象画像表示領域に並べて表示する。なお、対象画像表示領域とは、対象画像表示部１７０に含まれる、対象画像を表示する領域であってよい。対象画像表示部１７０は、複数のサムネイル化された原画像を、例えば、原画像のファイル名、日時、およびファイルサイズ等に基づいて並べて表示する。また、ユーザ５０が対象画像表示部１７０に表示されている原画像を選択して、対象表示部１７２にドラッグアンドドロップした場合には、表示制御部１６０は、対象画像表示部１７０においてユーザ５０に選択された原画像を対象表示部１７２に供給する。
【００２９】
対象表示部１７２は、操作の対象となる操作対象を示す原画像を操作領域に表示する。操作領域は、対象表示部１７２の中の操作対象を示す原画像が表示される領域であってよい。対象表示部１７２は、表示制御部１６０からレイアウトテンプレートを受け取った場合には、当該レイアウトテンプレートを表示する。また、対象表示部１７２は、ユーザ５０が対象画像表示部１７０に表示されている原画像を操作領域にドラッグアンドドロップした場合には、当該原画像または当該原画像に対応するサムネイル画像を表示制御部１６０から受け取って操作領域に表示する。なお、操作領域にテンプレートが表示されている場合には、当該テンプレートに含まれる、原画像を表示する領域である画像枠に原画像を割り付ける。係る場合において、対象表示部１７２は、原画像がドラッグアンドドロップされた位置を算出する。そして、対象表示部１７２は、ドラッグアンドドロップされた位置に最も近い画像枠に原画像を割り付けてもよい。対象表示部１７２は、レイアウトテンプレートに原画像が割り付けられたレイアウト画像をディスプレイ１２に供給して表示させる。また、対象表示部１７２は、レイアウト画像をレイアウト画像格納部１８０に供給する。
【００３０】
案内表示部１７４は、外部からの操作を案内する案内表記を、操作領域内に表示する。そして、案内表示部１７４は、操作領域内に表示した案内表記をディスプレイ１２に供給して表示する。より具体的には、案内表示部１７４は、表示制御部１６０から受け取った案内表記を、操作領域内に表示する。なお、案内表示部１７４は、初期状態においてレイアウトをユーザ５０に選択させる旨を促す情報を表示するレイアウト情報表示バー２１６を更に含んでいてもよい。レイアウト情報表示バー２１６は、初期状態において表示制御部１６０を介して案内表記格納部１５０から所定の案内表記を受け取って表示する。例えば、レイアウト情報表示バー２１６は、ユーザ５０に対して「表示されているレイアウトテンプレートのうち、好みのテンプレートを選択して下さい。」というような案内表記を案内表記格納部１５０から受け取って表示する。
【００３１】
また、案内表示部１７４は、案内表記を、操作入力部１１０が外部から操作の入力を受け付ける前に予め操作領域内に表示する。そして、操作入力部１１０を介して操作対象に対して外部から操作の入力を受け付けた場合に、案内表記を操作領域内から消去する。より具体的には、案内表示部１７４は、操作領域内にレイアウトテンプレートを表示した場合には、ユーザ５０に対して原画像をドラッグアンドドロップする旨を案内表記として表示する。例えば、案内表示部１７４は、操作領域内に「画像をドラッグアンドドロップして下さい。」というような案内表記を表示する。そして、ユーザ５０がレイアウトテンプレート内に原画像をドラッグアンドドロップした場合には、操作制御部１２０は表示制御部１６０を介して、案内表示部１７４に表示されている当該案内表記を消去する。
【００３２】
これにより、案内表示部１７４は、ユーザ５０が操作する前には案内表記をユーザ５０が実際に操作をする操作領域内に提示して、ユーザ５０が操作に迷うことを防止することができる。また、案内表示部１７４は、ユーザ５０が当該案内表記に表示された操作した後には案内表記を省略してユーザ５０に目障り感などの不快感を感じさせることを防止できる。更には、案内表示部１７４は、ユーザ５０が操作した後に案内表記を省略することにより、ディスプレイ１２上のスペースを有効活用できる。
【００３３】
また、案内表示部１７４は、案内表記を、外部から案内表記により案内される操作の入力を受け付ける前に予め表示する。そして、案内表示部１７４は、操作対象に対して外部から案内表記により案内される操作の入力を受け付けた回数を計測して、回数が所定の数を超えた場合に、案内表記を操作領域に表示しないようにしてもよい。より具体的には、案内表示部１７４は、表示制御部１６０から受け取った操作ＩＤに対応する操作の入力を受け付けた回数を解析する。そして、案内表示部１７４は、当該回数が所定の数を超えている場合には、ユーザ５０が当該操作について習熟したと判断する。そして、案内表示部１７４は、ユーザ５０が次に当該操作をする場合に案内表記を操作領域に表示しないようにする。更に、案内表示部１７４は、操作対象に対する習熟度に基づいて、案内表記を操作領域に表示しないようにしてもよい。例えば、案内表示部１７４は、習熟度を解析する。そして、案内表示部１７４は、ユーザ５０が操作を習熟しており、案内表記を要しないと判断した場合には、案内表記を操作領域に表示しないようにする。
【００３４】
これにより、案内表示部１７４は、操作に慣れていないユーザ５０に対しては案内表記を提示して、操作に慣れているユーザ５０に対しては案内表記を省略することができる。
【００３５】
また、案内表示部１７４は、対象表示部１７２が新たな操作対象を示す原画像を操作領域に表示した場合に、当該操作に対応する案内表記を操作領域内に表示してよい。より具体的には、対象表示部１７２は、ユーザ５０の操作回数または習熟度に基づいて、案内表記の表示を制御する。ユーザ５０が新たな操作をする場合には、案内表示部１７４は、操作領域内に当該操作に対応する案内表記を表示する。一方、案内表示部１７４は、ユーザ５０がした所定の操作の回数が所定値を越えた場合には、例えば、操作領域内に「画像をドラッグアンドドロップして下さい。」という案内表記を初心者に対しては表示する場合であっても、ユーザ５０に対しては、当該案内表記を表示しないようにする。
【００３６】
これにより、案内表示部１７４は、操作対象が新しくなった場合には、どのような操作をすればよいのかをユーザ５０に提示することができるので、ユーザ５０は、操作をする場合にどのような操作をすればよいのかについて迷うことがなくなる利点がある。一方、案内表示部１７４は、ユーザ５０が習熟した操作については、当該操作の案内表記を表示しないようにするので、ユーザ５０が煩わしさを感じることがなくなる利点がある。
【００３７】
更に、案内表示部１７４は、操作対象に案内表記を合成してもよい。そして、案内表示部１７４は、操作対象と案内表記とを、重畳した状態で外部から認識可能に表示してもよい。例えば、案内表示部１７４は、操作領域内のレイアウトテンプレートに含まれる画像枠内に案内表記を表示する。そして、ユーザ５０が操作対象である原画像を案内表記が表示されている画像枠にドラッグアンドドロップした場合には、案内表記を認識することができるように、ドラッグアンドドロップされた原画像の案内表記と重なる部分を半透明にして表示してもよい。
【００３８】
これにより、案内表示部１７４は、操作対象と当該操作対象に対する操作の案内表記とを視覚的に対応づけてユーザ５０に提示することができる。さらに当該案内表記を表示したことにより操作対象が隠れる不具合を回避することができる。また、案内表示部１７４が操作対象と案内表記とを重畳した状態で外部から認識可能に表示できるので、操作対象と案内表記とを別個独立に表示する場合に比べて、画面上のスペースを節約することができる。
【００３９】
また、案内表示部１７４は、操作領域内に表示されている案内表示の上において、操作の対象となる操作対象を示す原画像に対して、ユーザ５０に操作をさせてもよい。より具体的には、案内表示部１７４は、操作領域内の案内表示の上に原画像をドロップした場合に、これを受け付けて、当該原画像を操作領域内に割り付けて表示する。
【００４０】
更に、案内表示部１７４は、案内表記を、複数の画像枠にまたがるように表示してもよい。係る場合において、案内表示部１７４は、画像枠と案内表記とが重なっている部分においては案内表記を視認できるように、画像枠の部分を透過表示させてよい。そして、案内表示部１７４は、原画像が複数の画像枠のいずれかにドロップされた場合に、案内表記を消去してもよい。また、案内表示部１７４は、原画像が画像枠のいずれかにドロップ等された場合に、案内表記を消去した後であっても、当該画像が画像枠から消去された場合、または当該画像の画像枠への割り付けが取り消された場合には、再度案内表記を表示してもよい。
【００４１】
レイアウト画像格納部１８０は、対象表示部１７２から受け取ったレイアウト画像を、レイアウト画像を一意に識別できるレイアウト画像ＩＤに対応づけてレイアウト画像情報１８２として格納する。対象表示部１７２は、レイアウト画像格納部１８０からレイアウト画像を抽出して、ディスプレイ１２に表示してよい。
【００４２】
更に、ユーザ情報確認部１００、操作回数格納部１０２、操作入力部１１０、操作制御部１２０、操作対象画像格納部１３０、テンプレート格納部１４０、案内表記格納部１５０、表示制御部１６０、対象画像表示部１７０、対象表示部１７２、案内表示部１７４、およびレイアウト画像格納部１８０に対して、上記説明の動作をさせるプログラムをパーソナルコンピュータ１４に格納してもよい。当該プログラムは、半導体記憶媒体および磁気記憶媒体等の記憶媒体を介してパーソナルコンピュータ１４にインストールしてよい。また、インターネット等のネットワーク、有線通信、および無線通信を介して当該プログラムをパーソナルコンピュータ１４にインストールしてもよい。
【００４３】
本実施形態に係るパーソナルコンピュータ１４によれば、操作対象となる操作対象を示す原画像を操作領域に表示して、外部からの操作を案内する案内表記を、操作領域内に表示できる。これにより、操作対象に対してどのような操作をすればよいかを、ユーザ５０に分かり易く提示することができる。
【００４４】
図３は、本実施形態に係るアプリケーションウィンドウ２０の表示を模式化した図の一例である。アプリケーションウィンドウ２０は、ブラウズウィンドウ２００、レイアウトウィンドウ２１０、およびプリントウィンドウ２２０を有する。また、レイアウトウィンドウ２１０は、レイアウト情報表示バー２１６およびレイアウトテンプレートが選択された場合には、画像枠２１２を含む。更に、プリントウィンドウ２２０は、印刷情報表示エリア２２２を含む。なお、レイアウト情報表示バー２１６はユーザ５０が操作対象に対して操作をする操作領域内に表示される。そして、ブラウズウィンドウ２００は、対象画像表示部１７０の一例であり、レイアウトウィンドウ２１０は、対象表示部１７２の一例である。
【００４５】
初期状態において、ブラウズウィンドウ２００に含まれるレイアウト情報表示バー２１６は、ユーザ５０にレイアウトテンプレートを選択させることを目的として、案内表示部１７４はレイアウト情報表示バー２１６に「表示されているレイアウトテンプレートのうち、好みのテンプレートをクリックして下さい。」というような案内表記を表示する。ユーザ５０が所望のレイアウトテンプレートを選択した場合には、対象表示部１７２はユーザ５０が選択したレイアウトテンプレートを表示する。続いて、案内表示部１７４は、レイアウト情報表示バー２１６に表示される案内表記、またはレイアウト情報表示バー２１６自体を操作領域内から消去する。
【００４６】
ブラウズウィンドウ２００は、原画像２０２等の少なくとも一枚の原画像を表示する。また、レイアウトウィンドウ２１０は、ユーザ５０に選択されたレイアウトテンプレートを表示する。そして、案内表示部１７４は、ユーザ５０が実際に操作をする操作領域である画像枠内に、「画像をレイアウト上のフレームにドラッグ＆ドロップして下さい。」という案内表記２１４を表示する。ユーザ５０は案内表記２１４に従い、ブラウズウィンドウ２００に表示されている原画像から所望の原画像をレイアウトウィンドウ２１０にドラッグアンドドロップする。対象表示部１７２は、ユーザ５０によりドラッグアンドドロップされた原画像を、レイアウトウィンドウ２１０に表示されているレイアウトテンプレートに含まれる画像枠に割り付ける。係る場合において、対象表示部１７２は、原画像がドラッグアンドドロップされた場所に最も近い画像枠に当該原画像を割り付けてよい。
【００４７】
また、案内表示部１７４は、プリントウィンドウ２２０に含まれる印刷情報表示エリア２２２に案内表記を表示する。例えば、案内表示部１７４は、印刷情報表示エリア２２２内に、「レイアウト画像をここにドラッグアンドドロップして下さい。」という案内表記を表示する。ユーザ５０がレイアウト画像を印刷情報表示エリア２２２にドラッグアンドドロップした場合には、パーソナルコンピュータ１４は、印刷情報表示エリア２２２にドラッグアンドドロップされたレイアウト画像をプリントアウトする処理をしてよい。例えば、パーソナルコンピュータ１４はプリントアウトのプレビューとして、レイアウト画像をディスプレイ１２に表示する。
【００４８】
図４は、本実施形態に係るアプリケーションウィンドウ２０における動作を模式化した図の一例である。初期状態において、ユーザ５０は、レイアウトウィンドウ２１０に表示する画像枠を選択する。そして、ユーザ５０は、案内表示部１７４が操作領域内に表示した案内表記に従って、操作対象画像を操作する。例えば、操作領域であるレイアウトウィンドウ２１０内が含む画像枠内に、案内表示部１７４は「画像をレイアウト上のフレームにドラッグ＆ドロップして下さい。」という案内表記を表示する。ユーザ５０は、案内表記にしたがって、ブラウズウィンドウ２００に表示されている操作対象画像の中から所望の原画像２０２を選択する。そして、ユーザ５０は、レイアウトウィンドウ２１０に表示されているレイアウトテンプレートに含まれる複数の画像枠のうち、所望の画像枠に、選択した原画像２０２を矢印３００のようにドラッグアンドドロップする。
【００４９】
そして、対象表示部１７２は、ユーザ５０が、所望の原画像２０２をレイアウトテンプレートに割り付けて、割付画像２１８を生成した後のレイアウト画像を、レイアウト画像格納部１８０に格納させる。これにより、対象表示部１７２は、レイアウトテンプレートに原画像を割り付けたレイアウト画像を生成できる。係る場合において、案内表示部１７４は、画像枠内に表示されていた案内表記を、ユーザ５０が対象画像をドラッグアンドドロップしたときに消去してよい。また、案内表示部１７４は、例えば、ユーザ５０が原画像を画像枠にドラッグアンドドロップした回数に基づいて、ユーザ５０が次に同じ操作をするときに、当該案内表記を表示しないようにしてもよい。
【００５０】
この場合に、案内表示部１７４は、レイアウトウィンドウ２１０において案内表記が表記されている画像枠に原画像２０２がドロップされた場合にも、案内表記が表記されている画像枠の外の画像枠に原画像２０２がドロップされた場合にも、当該案内表記を消去する。
【００５１】
本実施形態に係るアプリケーションウィンドウ２０によれば、ユーザ５０が操作をする操作領域内に直接、ユーザ５０が操作をすべき操作の案内を表示できる。これにより、ユーザ５０は、アプリケーションウィンドウ２０内のどの部分でどのような操作をすればよいのか一見して把握することができる。
【００５２】
図５は、本実施形態に係る情報処理装置１０における処理の流れの一例を示す。まず、案内表示部１７４は、操作領域内に予め案内表記を表示する（Ｓ１０００）。例えば、案内表示部１７４は、操作領域であるレイアウトウィンドウ２１０内の画像枠内に、原画像をドラッグアンドドロップする旨の案内表記を表示する。続いて、案内表示部１７４が表示した案内表記に従ってユーザ５０が操作をした場合には、当該操作は操作入力部１１０から操作制御部１２０に入力される。そして、当該操作の入力を受け付けた回数は、操作回数格納部１０２に格納される。操作制御部１２０は、操作回数格納部１０２から受け取った当該操作の入力を受け付けた回数を計測して（Ｓ１０１０）、当該操作の入力を受け付けた回数が所定の数を超えたか否かを判断する（Ｓ１０２０）。
【００５３】
操作制御部１２０において、当該操作の入力を受け付けた回数が所定の数を超えていない場合には（Ｓ１０２０：Ｎｏ）、情報処理装置１０は当該操作の入力を受け付けた回数を計測し続ける。一方、操作制御部１２０において、当該操作の入力を受け付けた回数が所定の数を越えていると判断された場合には（Ｓ１０２０：Ｙｅｓ)、操作制御部１２０から表示制御部１６０に、案内表記をユーザ５０が次回に当該操作をする場合には、案内表示部１７４に表示しないようにする旨の命令が供給される。そして、案内表記を表示しないようにする旨の命令を表示制御部１６０を介して操作制御部１２０から受け取った案内表示部１７４は、ユーザ５０が次回に当該操作をする場合には、案内表記を表示しないようにする（Ｓ１０３０）。
【００５４】
本実施形態に係る情報処理装置１０によれば、操作対象に対する操作の入力を受け付けた回数を計測して、所定の回数を超えた場合には案内表記を表示しないようにすることができる。これにより、操作に慣れていないユーザ５０に対しては案内表記を提示して、操作に慣れているユーザ５０に対しては案内表記を省略することができる。
【００５５】
なお、図１から図５に示す実施形態においては、原画像に対して画像処理をする情報処理装置１０について説明したが、情報処理装置１０はこれに限られない。他の例として、情報処理装置１０は文書に対して処理をする文書作成処理、一群のデータに対して計算等の処理をする表計算処理をするものであってもよい。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５７】
【図１】情報処理装置１０のハードウェア構成を示す概略図である。
【図２】パーソナルコンピュータ１４の機能構成を示すブロック図である。
【図３】アプリケーションウィンドウ２０の表示を模式化した図である。
【図４】アプリケーションウィンドウ２０における動作を模式化した図である。
【図５】情報処理装置１０の処理の流れを示すフローチャートである。
【符号の説明】
【００５８】
１０  情報処理装置、１２  ディスプレイ、１４  パーソナルコンピュータ、１６  キーボード、１８  マウス、２０  アプリケーションウィンドウ、４０  デジタルカメラ、４２  プリンタ、５０  ユーザ、１００  ユーザ情報確認部、１０２  操作回数格納部、１０４  ユーザ情報、１０６  回数情報、１１０  操作入力部、１２０  操作制御部、１３０  操作対象画像格納部、１３２  画像情報、１４０  テンプレート格納部、１４２  テンプレート情報、１５０  案内表記格納部、１５２  案内表記情報、１６０  表示制御部、１７０  対象画像表示部、１７２  対象表示部、１７４  案内表示部、１８０  レイアウト画像格納部、１８２  レイアウト画像情報、２００  ブラウズウィンドウ、２０２  原画像、２１０  レイアウトウィンドウ、２１２  画像枠、２１４  案内表記、２１６  レイアウト情報表示バー、２１８  割付画像、２２０  プリントウィンドウ、２２２  印刷情報表示エリア、３００  矢印
【図１】
2007086823.tif 000003
【図２】
2007086823.tif 000004
【図３】
2007086823.tif 000005
【図４】
2007086823.tif 000006
【図５】
2007086823.tif 000007